(57)【要約】【課題】映像コンテンツのトランスコードを行う前に、トランスコード後の映像をプレビュー表示する場合に、プレビュー画面の生成に係わる変換処理の低減を図ること。【解決手段】  映像コンテンツ内のプレビュー区間を選択する区間選択モジュール３０１と、映像コンテンツの画像の一部を選択的に表示するための領域を選択する領域選択モジュールと、映像データを変換するための設定を検出する画質選択画面表示制御モジュール３２０と、区間選択手段によって選択された区間、且つ領域選択手段によって選択された領域を選択的に表示するためのオリジナル映像データを検出された設定に応じて変換した変換映像データを生成するプレビュー映像生成モジュール３０３と、変換映像データを再生するプレビュー映像再生モジュール３１０と、変換映像データの再生映像を表示画面上に表示する画質選択画面表示制御モジュール３２０とを具備する。【選択図】    図８
2010028224.tif 000002
【特許請求の範囲】
【請求項１】
映像データの一部区間に対して高解像度化処理を施す第１の変換手段と、
前記第１の変換手段により前記高解像度化処理を施した前記映像データの一部区間の画像を拡大して、当該画像の一部領域を表示する表示手段と、
前記表示手段により表示される画像のうち、選択された画像に対応する高解像度化処理により、前記映像データの全体に対して高解像度化処理を施す第２の変換手段と
を備えることを特徴とする映像処理装置。
【請求項２】
前記表示手段は、前記第１の変換手段が高解像度化処理を施す前のオリジナルの映像データの画像と、前記第１の変換手段により高解像度化処理を施した映像データの画像とを、対比可能に表示すること
を特徴とする請求項１記載の映像処理装置。
【請求項３】
前記第１の変換手段及び前記第２の変換手段は、２以上の高解像度化処理を実行可能であり、
前記表示手段は、前記２以上の高解像度化処理を施した映像データの画像を対比可能に表示すること
を特徴とする請求項１記載の映像処理装置。
【請求項４】
前記第１の変換手段が高解像度化処理を行う一部区間を選択する区間選択手段をさらに備え、
前記表示手段は、前記区間選択手段により選択された一部区間の映像データを再生して得られる画像を表示すること
を特徴とする請求項３記載の映像処理装置。
【請求項５】
前記区間選択手段は、前記映像データの映像中の動きの大小に対応する特徴量を参照することによって一部区間を選択することを特徴とする請求項４に記載の映像処理装置。
【請求項６】
前記特徴量は、動きベクトルであることを特徴とする請求項５に記載の映像処理装置。
【請求項７】
前記領域選択手段は、前記映像データに含まれる空間周波数に対応する特徴量を参照することによって前記一部領域を選択することを特徴とする請求項４に記載の映像処理装置。
【請求項８】
前記表示手段は、前記区間選択手段により選択された一部区間の映像データを再生して得られる画像を対比可能に複数表示し、これらの複数の画像にかかる再生処理を同期させること
を特徴とする請求項３記載の映像処理装置。
【請求項９】
前記表示手段は、前記区間選択手段により選択された一部区間の映像データを再生して得られる画像を対比可能に複数表示し、これらの複数の画像を表示する際の倍率は同一であること
を特徴とする請求項８記載の映像処理装置。
【請求項１０】
前記表示手段が表示する前記一部領域を選択する手段をさらに備え、
前記表示手段は、前記選択された前記一部領域の画像を表示すること
を特徴とする請求項３記載の映像処理装置。
【請求項１１】
前記第２の変換手段は、前記映像データを変換するために検出された設定が前記映像コンテンツのビットレートを変更する処理の場合、前記検出された設定に含まれるビットレートを、前記映像コンテンツの１フレームの映像のサイズと前記変換映像データの１フレームの映像のサイズとの比に対応するビットレートに変更し、変更されたビットレートを用いて変換映像データを生成することを特徴とする請求項１に記載の映像処理装置。
【発明の詳細な説明】
【技術分野】
【０００１】
本発明は、映像データをトランスコードするための映像処理装置に関する。
【背景技術】
【０００２】
一般に、ビデオレコーダ、パーソナルコンピュータといった電子機器は、テレビジョン放送番組データのような各種映像コンテンツデータを記録および再生することが可能である。
【０００３】
ところで、蓄積されたビデオストリームをトランスコーダにより再圧縮する際、再圧縮前のビデオストリームと再圧縮後のビデオストリームを画面上に並べて再生表示する事により、ユーザに所望の画質を選択させる技術が開示されている（特許文献１参照）。
【特許文献１】特開２００１−３６８４４号公報
【発明の開示】
【発明が解決しようとする課題】
【０００４】
上述した文献に記載されている技術では、元の映像コンテンツを、そのまま変換しており、変換処理の負荷がかかるほか、変換の効果・影響が見えにくいという問題がある。
【０００５】
本発明の目的は、映像データのトランスコードを行う前に、トランスコード後の映像を好適に確認することが可能な映像処理装置を提供することにある。
【課題を解決するための手段】
【０００６】
本発明の一例に係わる映像処理装置は、映像データの一部区間に対して高解像度化処理を施す第１の変換手段と、前記第１の変換手段により前記高解像度化処理を施した前記映像データの一部区間の画像を拡大して、当該画像の一部領域を表示する表示手段と、前記表示手段により表示される画像のうち、選択された画像に対応する高解像度化処理により、前記映像データの全体に対して高解像度化処理を施す第２の変換手段とを備えることを特徴とする。
【発明の効果】
【０００７】
本発明によれば、映像コンテンツのトランスコードを行う前に、トランスコード後の映像をプレビュー表示する場合に、プレビュー画面の生成に係わる変換処理の低減を図ることが可能になる。
【発明を実施するための最良の形態】
【０００８】
本発明の実施の形態を以下に図面を参照して説明する。
【０００９】
以下、図面を参照して、本発明の実施形態を説明する。  
まず、図１および図２を参照して、本発明の一実施形態に係る映像処理装置の構成を説明する。本実施形態の映像処理装置は、例えば、情報処理装置として機能するノートブック型の携帯型パーソナルコンピュータ１０から実現されている。
【００１０】
このパーソナルコンピュータ１０は、放送番組データ、外部機器から入力されるビデオデータといった、映像コンテンツデータ（オーディオビジュアルコンテンツデータ）を記録および再生することができる。即ち、パーソナルコンピュータ１０は、テレビジョン放送信号によって放送される放送番組データの視聴および録画を実行するためのテレビジョン（ＴＶ）機能を有している。このＴＶ機能は、例えば、パーソナルコンピュータ１０に予めインストールされているＴＶアプリケーションプログラムによって実現されている。また、ＴＶ機能は、外部のＡＶ機器から入力されるビデオデータを記録する機能、記録されたビデオデータおよび記録された放送番組データを再生する機能、および記録されたビデオデータおよび記録された放送番組データをトランスコードする機能も有している。
【００１１】
図１はコンピュータ１０のディスプレイユニットを開いた状態における斜視図である。本コンピュータ１０は、コンピュータ本体１１と、ディスプレイユニット１２とから構成されている。ディスプレイユニット１２には、ＴＦＴ−ＬＣＤ（Thin Film Transistor Liquid Crystal Display）１７から構成される表示装置が組み込まれている。
【００１２】
ディスプレイユニット１２は、コンピュータ本体１１に対し、コンピュータ本体１１の上面が露出される開放位置とコンピュータ本体１１の上面を覆う閉塞位置との間を回動自在に取り付けられている。コンピュータ本体１１は薄い箱形の筐体を有しており、その上面にはキーボード１３、本コンピュータ１０をパワーオン／パワーオフするためのパワーボタン１４、入力操作パネル１５、タッチパッド１６、およびスピーカ１８Ａ，１８Ｂなどが配置されている。
【００１３】
入力操作パネル１５は、押されたボタンに対応するイベントを入力する入力装置であり、複数の機能をそれぞれ起動するための複数のボタンを備えている。これらボタン群には、ＴＶ機能（視聴、録画、録画された放送番組データ／ビデオデータの再生）を制御するための操作ボタン群も含まれている。また、コンピュータ本体１１の正面には、本コンピュータ１０のＴＶ機能をリモート制御するリモコンユニットとの通信を実行するためのリモコンユニットインタフェース部２０が設けられている。リモコンユニットインタフェース部２０は、赤外線信号受信部などから構成されている。
【００１４】
コンピュータ本体１１の例えば右側面には、ＴＶ放送用のアンテナ端子１９が設けられている。また、コンピュータ本体１１の例えば背面には、例えばＨＤＭＩ(high-definition multimedia interface)規格に対応した外部ディスプレイ接続端子が設けられている。この外部ディスプレイ接続端子は、放送番組データのような映像コンテンツデータに含まれる映像データ（動画像データ）を外部ディスプレイに出力するために用いられる。また、コンピュータ本体１１の例えば左側面には、IEEE 1394規格の外部機器接続端子が設けられている。この外部機器接続端子は、カムコーダのような外部機器４００から映像データを取り込むために用いられる。
【００１５】
次に、図２を参照して、本コンピュータ１０のシステム構成について説明する。
【００１６】
本コンピュータ１０は、図２に示されているように、ＣＰＵ１０１、ノースブリッジ１０２、主メモリ１０３、サウスブリッジ１０４、グラフィクスプロセッシングユニット（ＧＰＵ）１０５、ビデオメモリ（ＶＲＡＭ）１０５Ａ、サウンドコントローラ１０６、ＢＩＯＳ−ＲＯＭ１０９、ＬＡＮコントローラ１１０、ハードディスクドライブ（ＨＤＤ）１１１、ＤＶＤドライブ１１２、ビデオプロセッサ１１３、メモリ１１３Ａ、無線ＬＡＮコントローラ１１４、IEEE 1394コントローラ１１５、エンベデッドコントローラ／キーボードコントローラＩＣ（ＥＣ／ＫＢＣ）１１６、ＴＶチューナ１１７、およびＥＥＰＲＯＭ１１８等を備えている。
【００１７】
ＣＰＵ１０１は本コンピュータ１０の動作を制御するプロセッサであり、ハードディスクドライブ（ＨＤＤ）１１１から主メモリ１０３にロードされる、オペレーティングシステム（ＯＳ）１６１、およびＴＶアプリケーションプログラム１６２のような各種アプリケーションプログラムを実行する。ＴＶアプリケーションプログラム１６２はＴＶ機能を実行するためのソフトウェアである。このＴＶアプリケーションプログラム１６２は、ＴＶチューナ１１７によって受信された放送番組データを視聴するためのライブ再生処理、受信された放送番組データをＨＤＤ１１１に記録する録画処理、およびＨＤＤ１１１に記録された放送番組データ／ビデオデータを再生する再生処理、ＨＤＤ１１１に格納されている放送番組データ／ビデオデータのトランスコード処理等を実行する。なお、放送コンテンツをリアルタイムでトランスコードしてＨＤＤ１１１に記録することも可能である。また、ＣＰＵ１０１は、ＢＩＯＳ−ＲＯＭ１０９に格納されたＢＩＯＳ（Basic Input Output System）も実行する。ＢＩＯＳはハードウェア制御のためのプログラムである。
【００１８】
ノースブリッジ１０２はＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、PCI EXPRESS規格のシリアルバスなどを介してＧＰＵ１０５との通信を実行する機能も有している。
【００１９】
ＧＰＵ１０５は、本コンピュータ１０のディスプレイモニタとして使用されるＬＣＤ１７を制御する表示コントローラである。このＧＰＵ１０５によって生成される表示信号はＬＣＤ１７に送られる。また、ＧＰＵ１０５は、ＨＤＭＩ制御回路３およびＨＤＭＩ端子２を介して、外部ディスプレイ装置１にデジタル映像信号を送出することもできる。
【００２０】
ＨＤＭＩ端子２は上述の外部ディスプレイ接続端子である。ＨＤＭＩ端子２は、非圧縮のデジタル映像信号と、デジタルオーディオ信号とを一本のケーブルでテレビのような外部ディスプレイ装置１に送出することができる。ＨＤＭＩ制御回路３は、ＨＤＭＩモニタと称される外部ディスプレイ装置１にデジタル映像信号をＨＤＭＩ端子２を介して送出するためのインタフェースである。
【００２１】
サウスブリッジ１０４は、ＬＰＣ（Low Pin Count）バス上の各デバイス、およびＰＣＩ（Peripheral Component Interconnect）バス上の各デバイスを制御する。また、サウスブリッジ１０４は、ハードディスクドライブ（ＨＤＤ）１１１およびＤＶＤドライブ１１２を制御するためのＩＤＥ（Integrated Drive Electronics）コントローラを内蔵している。さらに、サウスブリッジ１０４は、サウンドコントローラ１０６との通信を実行する機能も有している。
【００２２】
またさらに、サウスブリッジ１０４には、PCI EXPRESS規格のシリアルバスなどを介してビデオプロセッサ１１３が接続されている。
【００２３】
ビデオプロセッサ１１３は、映像フォーマットの変換処理（トランスコード）、変換処理（アップコンバート処理）、映像インデクシングおよび音声インデクシングに関する各種処理を実行するプロセッサである。
【００２４】
トランスコード処理においては、符号化方式の変換と、アップコンバートの処理を行う。符号化方式の変換は、例えばＭＰＥＧ−２フォーマットの映像データをＡＶＣ等のフォーマット形式に変換するものであり、アップコンバート処理（高解像度化処理）は、ＳＤ画質の映像をＨＤ画質に変換する等の、高解像度化を行う処理である。解像度を上げることにより、ユーザはより鮮明な画像を楽しむことができるようになる。
【００２５】
映像インデクシング処理においては、ビデオプロセッサ１１３は、映像コンテンツデータに含まれる動画像データから複数の顔画像を抽出すると共に、抽出された各顔画像が映像コンテンツデータ内に登場する時点を示すタイムスタンプ情報、等を出力する。顔画像の抽出は、例えば、動画像データの各フレームから顔領域を検出する顔検出処理、検出された顔領域をフレームから切り出す切り出し処理等によって実行される。顔領域の検出は、例えば、各フレームの画像の特徴を解析して、予め用意された顔画像特徴サンプルと類似する特徴を有する領域を探索することによって行うことができる。顔画像特徴サンプルは、多数の人物それぞれの顔画像特徴を統計的に処理することによって得られた特徴データである。
【００２６】
映像インデクシングによって、パーソナルコンピュータ１０に格納されたビデオデータ、放送番組データのような映像コンテンツデータに登場する人物の顔画像の一覧等を表示する顔画像一覧表示機能が実現される。この顔画像一覧表示機能は、例えば、ＴＶ機能内にその一機能として実装されている。顔画像一覧表示機能は、映像コンテンツデータの概要等をユーザに提示するための映像インデクシング機能の一つである。この顔画像一覧表示機能は、映像コンテンツデータ全体の中のどの時間帯にどの人物が登場するのかをユーザに提示することができる。また、この顔画像一覧表示機能は、映像コンテンツデータ内に含まれる所定の属性区間に着目して人物の一覧を表示することもできる。
【００２７】
また、音声インデクシング処理は、映像コンテンツデータ内に含まれるオーディオデータを分析して、映像コンテンツデータ内に含まれる、音楽が流れている音楽区間、および人物によるトークが行われているトーク区間を検出するインデクシング処理である。音声インデクシング処理においては、例えば、オーディオデータの周波数スペクトルの特徴が分析され、その周波数スペクトルの特徴に応じて、音楽区間、およびトーク区間が検出される。音楽区間に対応する周波数スペクトルの特徴と、トーク区間に対応する周波数スペクトルの特徴とは互いに異なるので、周波数スペクトルの特徴を分析することによって、音楽区間およびトーク区間のそれぞれを検出することができる。
【００２８】
メモリ１１３Ａは、ビデオプロセッサ１１３の作業メモリとして用いられる。インデクシング処理（ＣＭ検出処理、映像インデクシング処理）を実行するためには多くの演算量が必要とされる。本実施形態においては、ＣＰＵ１０１とは異なる専用のプロセッサであるビデオプロセッサ１１３がバックエンドプロセッサとして使用され、このビデオプロセッサ１１３によってインデクシング処理が実行される。よって、ＣＰＵ１０１の負荷の増加を招くことなく、インデクシング処理を実行することが出来る。
【００２９】
サウンドコントローラ１０６は音源デバイスであり、再生対象のオーディオデータをスピーカ１８Ａ，１８ＢまたはＨＤＭＩ制御回路３に出力する。
【００３０】
無線ＬＡＮコントローラ１１４は、たとえばIEEE 802.11規格の無線通信を実行する無線通信デバイスである。IEEE 1394コントローラ１１５は、IEEE 1394規格のシリアルバスを介してIEEE 1394接続端子に接続された外部機器４００との通信を実行し、たとえばカムコーダで撮像および記録されたパーソナル映像コンテンツデータの取り込みをすることができる。
【００３１】
エンベデッドコントローラ／キーボードコントローラＩＣ（ＥＣ／ＫＢＣ）１１６は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１１６は、ユーザによるパワーボタン１４の操作に応じて本コンピュータ１０をパワーオン／パワーオフする機能を有している。さらに、エンベデッドコントローラ／キーボードコントローラＩＣ（ＥＣ／ＫＢＣ）１１６は、リモコンユニットインタフェース２０との通信を実行する機能を有している。
【００３２】
ＴＶチューナ１１７はテレビジョン（ＴＶ）放送信号によって放送される放送番組データを受信する受信装置であり、アンテナ端子１９に接続されている。このＴＶチューナ１１７は、例えば、地上波デジタルＴＶ放送のようなデジタル放送番組データを受信可能なデジタルＴＶチューナとして実現されている。また、ＴＶチューナ１１７は、外部機器から入力されるビデオデータをキャプチャする機能も有している。
【００３３】
次に、本コンピュータ１０のトランスコード機能について説明する。先ず、トランスコードを行う際の設定画面について図３を参照して説明する。
【００３４】
図３に示すように、無変換ボタン２０１Ａ、ＵＣ１（Up Convert 1）ボタン２０１Ｂ、ＵＣ２（Up Convert 2）ボタン２０１Ｃ、ＸＰボタン２０１Ｄ、ＬＰボタン２０１Ｅ、およびＥＰボタン２０１Ｆ等のモード選択ボタンが画面上部に横一列に配列されている。無変換ボタン２０１Ａ、ＵＣ１ボタン２０１Ｂ、ＵＣ２ボタン２０１Ｃ、ＸＰボタン２０１Ｄ、ＬＰボタン２０１Ｅ、およびＥＰボタン２０１Ｆは、トランスコードのモード（符号化方法、解像度、ビットレート）を設定するためにユーザが擬似的に押下操作を行うために設けられている。
【００３５】
ＵＣ１ボタン２０１Ｂは、ＳＤ映像をＨＤ映像に変換する高画質変換を行うＵＣ１モード（符号化方法：Ｈ．２６４、ＨＤ画質、ビットレート１０．０Ｍｂｐｓ）を設定するためのボタンである。ＵＣ２ボタン２０１Ｃは、ＳＤ映像をＨＤ映像に変換する高画質変換を行うＵＣ２モード（符号化方法：Ｈ．２６４、ＨＤ画質、ビットレート１０．０Ｍｂｐｓ）を設定するためのボタンである。なお、ＵＣ２モードで生成される映像はＵＣ１モードで生成される映像より低画質である。しかし、ＵＣ２モードのトランスコード時間はＵＣ１モードのトランスコード時間より短い。
【００３６】
ＸＰボタン２０１Ｄは、ＸＰモード（符号化方法：Ｈ．２６４、ＨＤ画質、ビットレート１０．０Ｍｂｐｓ）を設定するためのボタンである。ＬＰボタン２０１Ｅは、ＬＰモード（符号化方法：Ｈ．２６４、ＨＤ画質、ビットレート５．５Ｍｂｐｓ）を設定するためのボタンである。ＥＰボタン２０１Ｆは、ＥＰモード（符号化方法：Ｈ．２６４、ＳＤ画質、ビットレート２．０Ｍｂｐｓ）を設定するためのボタンである。
【００３７】
無変換ボタンの下にチェックボックス２１０が配置され、その横に“インデクシングする”という文字が配置されている。チェックボックス２１０にチェックマークを入れることによって、前述した映像インデクシングおよび音声インデクシングに関する各種処理が実行される。
【００３８】
そして、更に下に第１プレビュー画面２２１と第２プレビュー画面２２２とが横一列に配列されている。第１プレビュー画面２２１にはオリジナルの映像コンテンツに基づく映像が表示される。また、第２プレビュー画面２２２には、無変換ボタン、ＵＣ１ボタン、ＵＣ２ボタン、ＸＰボタン、ＬＰボタン、ＥＰボタンの押下操作によって選択されたモードに対応するプレビュー画面が表示される。
【００３９】
第１プレビュー画面２２１の下にオリジナルの映像コンテンツの容量、およびＨＤＤの残り容量が表示されている。同様に、第２プレビュー画面２２２の下に選択されたモードに基づいた変換後の映像コンテンツの容量、およびＨＤＤの残り容量が表示されている。
【００４０】
ユーザがモード選択ボタン２０１Ａ〜２０１Ｆを押下操作することで、操作を行ったボタンに対応するモードで映像コンテンツから選択される一部区間（図４参照）の映像の一部領域を切り出した映像データを生成する。例えば、各フレームの画像中の一部領域を切り出し、切り出した画像からなる映像を選択的に表示するための映像データを生成する。なお、各フレームの画像から切り出される領域は、相対的に同じ領域である。図５に或るフレームの画像を示す。図５に示す画像から領域Ｒ１を切り出した画像（図６）を含む映像データを生成する。そして、切り出した映像をトランスコードする。
【００４１】
映像コンテンツからの一部区間の選択は自動的に行われる。例えば、一部区間の選択は、動きの大小に対応する特徴量（ＭＰＥＧの動きベクトルなど）を使用し、最も動きの小さい映像を含む区間、或いは最も動きの大きい映像を含む区間を選択する。なお、ここで区間と言っているのは、所定の秒数、例えば１５秒の区間のことである。
【００４２】
また、一部領域の切り出しは、空間周波数に対応する特徴量（ＭＰＥＧのＩピクチャのＡＣ成分など）を使用し、例えば細かい部分の多い領域を選択する。ＡＣ成分は、エッジが入っている量を示す。領域の大きさは、拡大表示を考慮したプレビュー画面表示のサイズに合わせる。たとえばマクロブロックの単位を保持しながら元の１／５のサイズの領域を選択する。
【００４３】
トランスコード後の映像データはＨＤＤ１１１に格納される。そして、プレビュー画面にトランスコード後の再生映像が所定の倍率で拡大して表示される。プレビュー画面で表示される映像の例を図７に示す。図７に示す映像は、図６に示す映像を２．５倍の倍率で拡大表示した例である。
【００４４】
なお、再生映像を拡大して表示するのではなくオリジナルの倍率で表示を行っても良い。
【００４５】
次に、実際に上述した処理を実行するためのモジュールについて説明する。図８は、トランスコード設定処理およびトランスコードを行うトランスコード処理部の構成を示すブロック図である。
【００４６】
図８に示すように、区間選択モジュール３０１、領域選択モジュール３０２、プレビュー映像生成モジュール３０３、画質選択画面表示制御モジュール３２０、プレビュー映像再生モジュール３１０、および映像コンテンツ変換モジュール３３０等を有する。
【００４７】
区間選択モジュール３０１は、先に述べた手法を用いて映像コンテンツデータからプレビューを行う一部区間を選択する。そして、領域選択モジュール３０２は、区間選択モジュール３０１が選択した区間の映像データによって表示される映像から一部の領域を切り出す領域を設定する。
【００４８】
そして、プレビュー映像生成モジュール３０３は、映像コンテンツデータから区間選択モジュール３０１および領域選択モジュール３０２が選択した区間および領域に対応する映像データを生成し、ＨＤＤ１１１にオリジナル映像データ１１１Ｂとして格納する。また、プレビュー映像生成モジュール３０３は、図３に示した設定画面からユーザが選択したモードに応じてオリジナル映像データ１１１Ｂを変換し、変換後の映像データをＨＤＤ１１１に変換映像データ１１１Ｃとして格納する。オリジナル映像データ１１１Ｂの生成処理、およびオリジナル映像データ１１１Ｂの変換処理は、ビデオプロセッサ１１３が行う。
【００４９】
なお、画像変換処理がビットレート指定によって行われる場合、オリジナルの映像と切り出される映像との比に応じて、切り出した領域の画像処理の際のビットレートを変更すると良い。すなわち、押下操作されたボタンに対応するモードに含まれるビットレートを、映像コンテンツデータの画像のサイズ（縦ピクセル×横ピクセル）と変換語の映像データの画像のサイズ（縦ピクセル×横ピクセルとの比に対応するビットレートに変更し、変更されたビットレートを用いて変換映像データを生成する。例えば、例えば、選択された変換モードが８Ｍｂｐｓの場合、オリジナルの映像と切り出される映像との比が１／１６の場合、８Ｍｂｐｓの１／１６である０．５Ｍｂｐｓで映像データを変換する。
【００５０】
画質選択画面表示制御モジュール３２０は、図３に示した設定画面の表示を行う。また、画質選択画面表示制御モジュール３２０は、区間選択モジュール３０１、領域選択モジュール３０２、プレビュー映像生成モジュール３０３、およびプレビュー映像再生モジュール３１０の制御を行う。
【００５１】
プレビュー映像再生モジュール３１０は、オリジナル映像データ１１１Ｂおよび変換映像データを同期して再生する。再生時、映像を所定の倍率に拡大した再生映像を生成する。
【００５２】
画質選択画面表示制御モジュール３２０は、図３に示す第１プレビュー画面および第２プレビュー画面にプレビュー映像再生モジュール３１０が再生した画像の表示を行う。
【００５３】
映像コンテンツ変換モジュール３３０は、ユーザが選択した変換モードに応じて映像コンテンツデータ１１１Ａのトランスコード処理を行い、トランスコード後の映像データをＨＤＤ１１１に変換映像コンテンツデータ１１１Ｄとして格納する。トランスコード処理は、ビデオプロセッサ１１３が行う。
【００５４】
次に、図９のフローチャートを参照して設定の手順を説明する。  
先ず、画質選択画面表示制御モジュール３２０は、トランスコードを行う映像コンテンツデータ１１１Ａのパス（格納場所）を取得する（ステップＳ１１）。画質選択画面表示制御モジュール３２０は、ユーザがダイアログボックス等を用いて選択した映像コンテンツデータ１１１Ａのパスを検出することによって、取得することによって映像コンテンツデータ１１１Ａのパスを取得する。
【００５５】
続いて、映像コンテンツデータ１１１Ａからプレビュー映像を表示するための区間の選択、および選択された区間中の映像中の領域を選択が行われる（ステップＳ１２）。画質選択画面表示制御モジュール３２０は、区間選択モジュール３０１に取得したパスを渡し、区間を選択するように指示する。区間を選択した後、区間選択モジュール３０１は映像コンテンツデータ１１１Ａのパスおよび区間を領域選択モジュール３０２に渡し、領域を選択するように指示する。領域を選択した後、領域選択モジュール３０２は、映像コンテンツデータ１１１Ａのパス、選択区間、および切り出し領域をプレビュー映像生成モジュール３０３に渡し、オリジナル映像データ１１１Ｂを生成するように指示する。
【００５６】
プレビュー映像生成モジュール３０３は、渡されたパス、選択区間、および切り出し領域に対応するオリジナル映像データ１１１Ｂを生成し、オリジナル映像データ１１１ＢをＨＤＤ１１１に格納する（ステップＳ１３）。なお、映像フォーマットが圧縮フォーマットであると映像が劣化するので、オリジナル映像データ１１１Ｂは無圧縮の映像フォーマットで記録されていることが好ましい。
【００５７】
続いて、画質選択画面表示制御モジュール３２０はユーザの操作を監視する。ユーザがモード選択ボタンの何れかの操作を検出した場合、画質選択画面表示制御モジュール３２０は操作されたモード選択ボタンに対応する変換モードを取得する（ステップＳ１４）。画質選択画面表示制御モジュール３２０はボタンに対応するモードの内容（映像フォーマット、解像度、ビットレート）および変換処理の指示をプレビュー映像生成モジュール３０３に送る。
【００５８】
プレビュー映像生成モジュール３０３は、取得したモードの内容に応じてオリジナル映像データ１１１Ｂを変換することによって変換映像データ１１１Ｃを生成し、変換映像データ１１１ＣをＨＤＤ１１１に格納する（ステップＳ１５）。
【００５９】
そして、画質選択画面表示制御モジュール３２０は、オリジナル映像データ１１１Ｂおよび変換映像データ１１１Ｃの再生をプレビュー映像再生モジュール３１０に指示する。プレビュー映像再生モジュール３１０は、オリジナル映像データ１１１Ｂおよび変換映像データ１１１Ｃを同期して再生する。そして、オリジナル映像データ１１１Ｂおよび変換映像データ１１１Ｃを同じ倍率で拡大した再生画像のデータを画質選択画面表示制御モジュール３２０に渡す。画質選択画面表示制御モジュール３２０は、図３に示す設定画面において、第１プレビュー画面２２１にオリジナル映像データ１１１Ｂの拡大再生映像を表示し、第２プレビュー画面２２２に変換映像データ１１１Ｃの拡大再生映像を表示する。
【００６０】
画質選択画面表示制御モジュール３２０は、ユーザの操作を監視する。ユーザがモード選択ボタンの何れかを操作した場合（ステップＳ１７のＮｏ）、ステップＳ１４〜ステップＳ１５の処理を順次実行する。ＯＫボタンの操作を検出した場合（ステップＳ１７のＹｅｓ）、画質選択画面表示制御モジュール３２０はステップＳ１４において取得した変換モードおよび映像コンテンツデータ１１１Ａのパスを映像コンテンツ変換モジュール３３０に渡す。
【００６１】
映像コンテンツ変換モジュール３３０は、渡されたパスに対応する映像コンテンツデータ１１１Ａを変換モードに応じてトランスコードする（ステップＳ１８）。なお、図３のチェックボックス２１０にチェックマークが入っている場合には、トランスコードと一緒にインデクシング処理を実行する。トランスコート後、映像コンテンツ変換モジュール３３０は、変換されたデータを変換映像コンテンツデータ１１１ＤとしてＨＤＤ１１１に格納する。以上で、トランスコード処理が終了する。
【００６２】
区間と領域を小さくとることにより、変換の負荷を小さくし、例えば超解像化（高画質化）のようにリアルタイム処理が困難なものもプレビュー対象にできる。また、区間と小さい領域を自動的に選択し、処理後のものを拡大することによって、変換の効果・影響をわかりやすく表示することができる（動きが大きいものや、細かい部分がないものはわかりにくい）。
【００６３】
以上説明した処理では、ＨＤＤ１１１に格納されている映像コンテンツデータに対してトランスコードを行う例を説明した。しかし、視聴中の映像を変換しながら録画したい場合には、録画済の映像の変換のための設定においては、視聴中の映像からプレビュー映像を表示するための処理映像を選択する。
【００６４】
また、予約録画時等、対象映像が存在しない場合の設定においては、別の映像コンテンツをプレビュー映像を表示するための処理映像として選択する。例えば、毎週録画を行っている放送コンテンツの場合、以前録画している前回の放送コンテンツからプレビュー映像を表示するための処理映像を選択する。或いは、ジャンルが同じ放送コンテンツからプレビュー映像を表示するための処理映像を選択する。
【００６５】
なお、上記実施形態では、プレビュー画面として一定の区間を再生する例を説明したが、或るフレームを選択して、静止画で表示するようにしてもよい。また、複数区間、複数領域、複数フレームを組み合わせて提示するようにしても良い。
【００６６】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６７】
【図１】本発明の一実施形態に係る映像コンテンツ処理装置の概観の例を示す斜視図。
【図２】同実施形態の映像コンテンツ処理装置のシステム構成の例を示すブロック図。
【図３】トランスコードを行う際の設定画面の一例を示す図。
【図４】映像コンテンツと選択される一部区間との関係の一例を示す図。
【図５】映像コンテンツの画像から切り出される領域の一例を示す画像。
【図６】図５に示す映像コンテンツの画像から切り出された画像の一例を示す画像。
【図７】プレビュー画面で表示される画像の一例を示す画像。
【図８】トランスコード設定処理およびトランスコードを行うトランスコード処理部の構成を示すブロック図。
【図９】図８に示すトランスコード処理部によって行われる処理の手順を示すフローチャート。
【符号の説明】
【００６８】
３０１…区間選択モジュール，３０２…領域選択モジュール，３０３…プレビュー映像生成モジュール，３１０…プレビュー映像再生モジュール，３２０…画質選択画面表示制御モジュール，３３０…映像コンテンツ変換モジュール。
【図１】
2010028224.tif 000003
【図２】
2010028224.tif 000004
【図３】
2010028224.tif 000005
【図４】
2010028224.tif 000006
【図５】
2010028224.tif 000007
【図６】
2010028224.tif 000008
【図７】
2010028224.tif 000009
【図８】
2010028224.tif 000010
【図９】
2010028224.tif 000011
【手続補正書】
【提出日】平成21年10月15日(2009.10.15)
【手続補正１】
【補正対象書類名】特許請求の範囲
【補正対象項目名】全文
【補正方法】変更
【補正の内容】
【特許請求の範囲】
【請求項１】
映像データの一部区間に対して高解像度化処理を施す第１の変換手段と、
前記第１の変換手段による前記高解像度化処理後の前記映像データの一部区間の画像を拡大して、当該画像の一部領域を表示する表示手段と、
前記表示手段により表示される画像のうち、選択された画像に対応する前記映像データの全体に対して前記高解像度化処理を施す第２の変換手段と
を備えることを特徴とする映像処理装置。
【請求項２】
前記表示手段は、前記高解像度化処理前のオリジナルの映像データの画像と、前記第１の変換手段による前記高解像度化処理後の映像データの画像とを、対比可能に表示すること
を特徴とする請求項１記載の映像処理装置。
【請求項３】
前記第１の変換手段及び前記第２の変換手段は、２以上の前記高解像度化処理を実行することができ、
前記表示手段は、前記２以上の高解像度化処理後の映像データの画像を対比可能に表示すること
を特徴とする請求項１記載の映像処理装置。
【請求項４】
前記第１の変換手段によって前記高解像度化処理される一部区間を選択する区間選択手段をさらに備え、
前記表示手段は、前記区間選択手段により選択された一部区間の映像データを再生して得られる画像を表示すること
を特徴とする請求項３記載の映像処理装置。
【請求項５】
前記区間選択手段は、前記映像データの映像中の動きの大小に対応する特徴量を参照することによって一部区間を選択することを特徴とする請求項４に記載の映像処理装置。
【請求項６】
前記特徴量は、動きベクトルであることを特徴とする請求項５に記載の映像処理装置。
【請求項７】
前記表示手段は、前記区間選択手段により選択された一部区間の映像データを再生して得られる画像を対比可能に複数表示し、これらの複数の画像にかかる再生処理を同期させること
を特徴とする請求項３記載の映像処理装置
【請求項８】
前記表示手段は、前記区間選択手段により選択された一部区間の映像データを再生して得られる画像を対比可能に複数表示し、これらの複数の画像を表示する際の倍率は同一であること
を特徴とする請求項７記載の映像処理装置。
【請求項９】
前記表示手段によって表示される前記一部領域を選択する領域選択手段をさらに備え、
前記表示手段は、前記選択された前記一部領域の画像を表示すること
を特徴とする請求項３記載の映像処理装置。
【請求項１０】
前記領域選択手段は、前記映像データに含まれる空間周波数に対応する特徴量を参照することによって前記一部領域を選択することを特徴とする請求項９に記載の映像処理装置。
【請求項１１】
前記第２の変換手段は、前記映像データを変換するために検出された設定が前記映像コンテンツのビットレートを変更する処理の場合、ビットレートを、前記映像コンテンツの１フレームの映像のサイズと前記変換映像データの１フレームの映像のサイズとの比に対応するビットレートに変更し、変更されたビットレートを用いて変換映像データを生成することを特徴とする請求項１に記載の映像処理装置。
【手続補正２】
【補正対象書類名】明細書
【補正対象項目名】０００６
【補正方法】変更
【補正の内容】
【０００６】
本発明の一例に係わる映像処理装置は、映像データの一部区間に対して高解像度化処理を施す第１の変換手段と、前記第１の変換手段による前記高解像度化処理後の前記映像データの一部区間の画像を拡大して、当該画像の一部領域を表示する表示手段と、前記表示手段により表示される画像のうち、選択された画像に対応する前記映像データの全体に対して前記高解像度化処理を施す第２の変換手段とを備えることを特徴とする。